(57)【要約】【課題】  手摺支柱を正確に設定することのできる笠木上の手摺支柱の立設装置及び立設方法を提供する。【解決手段】  パラペットを跨ぐようにそれに固定して配列される股開き状であって上面に前後いずれか同一方向に開放された複数の掛止部を設けたファスナーと、ファスナーの両側下端に掛止される逆チャンネル形であって支柱が立設される箇所に一次止ビスを通す長孔を設けた笠木と、笠木の裏側においてファスナーの各掛止部に開放方向からそれぞれ差し込まれる複数の係合部が形成された裏板と、裏板に一次止ビスに次いで二次止ビスを螺入して笠木上の所定位置に固定されるベースプレート付きである手摺支柱とからなり、手摺支柱の下端の該ベースプレートを裏板への一次止ビスの螺入で仮止めした位置を前記所定箇所に移行できるように、一次止ビスが通される前記長孔を前後長に形成した。【選択図】    図１
2004332537.tif 000002
【特許請求の範囲】
【請求項１】
パラペットを跨ぐようにそれに固定して配列される股開き状であって上面に前後いずれか同一方向に開放された複数の掛止部を設けたファスナーと、ファスナーの両側下端に掛止される逆チャンネル形であって支柱が立設される箇所に一次止ビスを通す長孔を設けた笠木と、笠木の裏側においてファスナーの各掛止部に開放方向からそれぞれ差し込まれる複数の係合部が形成された裏板と、裏板に一次止ビスに次いで二次止ビスを螺入して笠木上の所定位置に固定されるベースプレート付きである手摺支柱とからなり、手摺支柱の下端の該ベースプレートを裏板への一次止ビスの螺入で仮止めした位置を前記所定箇所に移行できるように、一次止ビスが通される前記長孔を前後長に形成したことを特徴とする笠木上の手摺支柱の立設装置。
【請求項２】
パラペットに、両側下端でその笠木を掛止する股開き状のファスナーを配設して固定し、手摺支柱を笠木上に立設するにつき、手摺支柱の下端のベースプレートを笠木の上から裏板にねじ止めした笠木上の手摺支柱の立設方法において、ファスナーには、裏板を前後いずれか一方にそれぞれ開放する複数の掛止部を形成し、笠木には、前記ねじ止め用として、一次止ビスを通す前後方向の長孔を設け、その一次止ビスを裏板にねじ込むことにより、予め笠木に手摺支柱を取り付けておき、笠木の被着後に、緩めた一次止ビスを長孔に沿ってずらすことにより、それと一体の裏板をファスナーの各掛止部に係合させ、手摺支柱の所定の位置において、一次止ビスの締付けと、二次止ビスのベースプレートから裏板への螺入締付けとにより、裏板に対する笠木および手摺支柱の固定を確定することを特徴とする笠木上の手摺支柱の立設方法。
【発明の詳細な説明】
【技術分野】
【０００１】
この発明は、パラペットの上に被着した笠木上の手摺支柱の立設装置及び立設方法に関する。
【背景技術】
【０００２】
笠木をパラペットに被着するには、その取付金物としてパラペットを大きく跨ぐ略逆Ｕ字形のファスナーが使用され、ファスナーをパラペットにネジ止めし、その上から笠木を被せて両側がファスナーの股開き下端に掛止される。そして、このように被着した笠木の上に手摺が設けられることがある。
【０００３】
手摺支柱の立設のために、その補強心材の下端にベースプレートが溶接またはビス止めにより取り付けられており、それを表板として、笠木の裏側においてファスナーを介して裏板が予め取り付けられているので、手摺支柱を取り付けるときには、笠木の上からベースプレートを裏板にビス止めされる。
【発明の開示】
【発明が解決しようとする課題】
【０００４】
上記のような従来の笠木上の手摺支柱の立設装置によれば、パラペットの上のファスナーには、予め裏板を固着しておくものであって、その裏板に笠木および手摺支柱の補強心材を正確な所定位置においてビス止めする必要から、その位置決めが確定した段階において、ドリルを使って、補強心材のベースプレートから、笠木にはビスの通し孔を、裏板には螺入孔をそれぞれ穿設することによって、ビス止めがなされていた。
【０００５】
このような手順を取った場合、補強心材を正確な位置において、笠木および裏板に正確にドリルで孔を開けることが極めて困難であった。つまり、補強心材が不安定であるので、その下端のベースプレートを笠木の上に正確に当てることが困難であるばかりか、正確に当てたとしても、その後で位置がずれることによって、ビス止めの孔が正確に開けられず、それを間違うと修正がきかないことになるという問題があった。
【０００６】
また、補強心材を用いないで、手摺支柱の下端にベースプレートを直接取り付けたとしても、同様の問題が生じることになる。
【０００７】
この発明は、上記のような実情に鑑みて、手摺支柱を正確に設定することのできる笠木上の手摺支柱の立設装置及び立設方法を提供することを目的とした。
【課題を解決するための手段】
【０００８】
上記の目的を達成するために、この発明による立設装置は、パラペットを跨ぐようにそれに固定して配列される股開き状であって上面に前後いずれか同一方向に開放された複数の掛止部を設けたファスナーと、ファスナーの両側下端に掛止される逆チャンネル形であって支柱が立設される箇所に一次止ビスを通す長孔を設けた笠木と、笠木の裏側においてファスナーの各掛止部に開放方向からそれぞれ差し込まれる複数の係合部が形成された裏板と、裏板に一次止ビスに次いで二次止ビスを螺入して笠木上の所定位置に固定されるベースプレート付きである手摺支柱とからなり、手摺支柱の下端の該ベースプレートを裏板への一次止ビスの螺入で仮止めした位置を前記所定箇所に移行できるように、一次止ビスが通される前記長孔を前後長に形成したことを特徴とするものである。
【０００９】
また、その立設方法は、パラペットに、両側下端でその笠木を掛止する股開き状のファスナーを配設して固定し、手摺支柱を笠木上に立設するにつき、手摺支柱の下端のベースプレートを笠木の上から裏板にねじ止めした笠木上の手摺支柱の立設方法において、ファスナーには、裏板を前後いずれか一方にそれぞれ開放する複数の掛止部を形成し、笠木には、前記ねじ止め用として、一次止ビスを通す前後方向の長孔を設け、その一次止ビスを裏板にねじ込むことにより、予め笠木に手摺支柱を取り付けておき、笠木の被着後に、緩めた一次止ビスを長孔に沿ってずらすことにより、それと一体の裏板をファスナーの各掛止部に係合させ、手摺支柱の所定の位置において、一次止ビスの締付けと、二次止ビスのベースプレートから裏板への螺入締付けとにより、裏板に対する笠木および手摺支柱の固定を確定することを特徴とするものである。
【発明の効果】
【００１０】
以上説明したように、この発明によれば、手摺支柱の位置を微妙に調整することができるので、手摺支柱が整然とした配列となり、位置決めに正確性が得られるばかりか、仮に誤りが生じたとしてもその修正も簡単にできる。また、工場において笠木に手摺支柱や裏板を取り付けておくことによって、現場での組付けがそれだけ省け、作業性が良好であり、工期短縮に適する等の優れた効果がある。
【発明を実施するための最良の形態】
【００１１】
笠木上の手摺支柱の立設装置及び立設方法を上記のように構成したから、手順としては、パラペットにファスナーを所定の位置において固定しておくが、それには、裏板を予め取り付けないでおく。そして笠木には、手摺支柱下端のベースプレートを裏板に一次止ビスによりねじ止めして手摺支柱を仮に立設した状態において、笠木をパラペットに被着した後、一次止ビスを緩め裏板をずらすことによって、それをファスナーに掛止させる。
【００１２】
裏板をずらす方向が前後方向であるから、既に立設されている手摺支柱をその方向にずらすことによって、各手摺支柱が一列に並ぶように正確に位置決めできる。この際には、一次止ビスにより手摺支柱が仮止めされているので、ずれるということがない。そして、最後に、一次止ビスと二次止ビスとの締付けにより、その正確な位置が確定すると同時に、ファスナーに対する裏板の掛止状態も確定する。
【実施例１】
【００１３】
次に、この発明の実施例を図面に基づいて説明する。
【００１４】
図面は、一実施例を示したもので、その笠木上の手摺支柱の立設装置は、パラペットＰの上にその手摺支柱２が立設されるよう、パラペットＰにネジ止めして固定されるファスナー３と、ファスナー３に固定される笠木１と、その固定においてファスナー３と笠木１との間に介在される裏板４と、笠木１の上から裏板４にネジ止めされるベースプレート６と、それが予め取り付けられている手摺支柱２のとからなる。そして、手摺支柱２を所定位置に正確に立設できるように、手摺支柱２の下端のベースプレート６が裏板４に仮止めされてから正確な位置にずらして固定されるようになっている。
【００１５】
ファスナー３は、従来のものと同様に、パラペットＰを跨ぐ逆Ｕ字形であって、前後両側端に笠木１を受ける隆起部５，７を有し、その間の凹んだ箇所において、パラペットＰにネジ９，９で取り付けられている。しかし、裏板４の取付け形状が異なっており、ファスナー３における一対の掛止部１１，１３が屋内側、つまり後ろ側開き形状となっている。つまり、前側掛止部１１は、前側隆起部５が落ち込む縁に後ろに開口する溝により形成され、後側掛止部１３が低い箇所において後ろ向き逆Ｌ字形の突条により形成される。また、両隆起部５，７の上面には、笠木１とファスナー３との遊びを吸収する緩衝材１０，１０が接着されている。
【００１６】
笠木１は、従来のものと同様に逆チャンネル形の断面形状であって、両側の下端の内面にファスナー３の両側下端に引っ掛かる掛止突条１５，１５が形成されている。そして、この笠木１の上面には、裏板４に手摺支柱２のベースプレート６をネジ止めするための一次止ビス１９，１９を通す一対の長孔２１，２１が対角方向に設けられる。また、他方の対角方向には二次止ビス２０，２０を通す一対の貫通孔２２，２２が穿設されている。
【００１７】
裏板４は、笠木１の裏側に当接する板状であって、前端にファスナー３の前側掛止部１１の溝に突入する先端係合部１２が段状に形成され、後端には後側掛止部１３に引っ掛かる尾端係合部１４が反転屈折する鉤状に形成される。また、この裏板４には、一次止ビス１９，１９の螺入孔１８，１８が一方の対角位置に穿設されている。さらに、二次止ビス２０，２０の螺入孔２４，２４も他方の対角位置に穿設されている。
【００１８】
手摺支柱２のベースプレート６は、左右両側間の中央部が高くなっており、両側片には、一次止ビス１９，１９の通し孔２３，２３と、二次止ビス２０，２０の通し孔２５，２５とがそれぞれ予め穿設されている。工場において、笠木１に対して手摺支柱２を取り付けておく場合、一次止ビス１９，１９をベースプレート６の通し孔２３，２３から長孔２１，２１に通すことによって、裏板４の螺入孔１８，１８にねじ込んでおくが、この場合には、その一次止ビス１９，１９を長孔２１，２１の後端に位置させておく（図１）。
【００１９】
現場においては、パラペットＰに手摺支柱２の立設箇所毎にファスナー３が配設されているので、図に示すように、笠木１をファスナー３に引っ掛ける。このようにパラペットＰに笠木１を被着してから、一次止ビス１９，１９を緩め、手摺支柱２を同図の矢印に示す如く前方へずらすことによって、ファスナー３の掛止部１１，１３に裏板４の先端係合部１２と尾端係合部１４を引っ掛ける。
【００２０】
手摺支柱２の前方への移動が終わってから、その取付けを確実にするために、一次止ビス１９，１９を締め付ける一方、二次止ビス２０，２０を、ベースプレート６の通し孔２５，２５から笠木１の貫通孔２２，２２を通し、裏板４の螺入孔２４，２４に螺入してねじ止めする（図２）。次に、キャップ２７を下ろしてベースプレート６に被着する。なお、ファスナー３と裏板４とが係合関係にあるので、笠木１の左右の位置決めは随時可能であるが、手摺Ｈの据付けにより位置が固定されて確定する。
【図面の簡単な説明】
【００２１】
【図１】この発明による笠木上の手摺支柱の立設装置を現場施工要領で示す断面図である。
【図２】同手摺の据付け状態を示す断面図である。
【図３】同笠木上の手摺支柱の立設装置の分解斜視図である。
【符号の説明】
【００２２】
Ｐ  パラペット
１  笠木
２  手摺支柱
３  ファスナー
４  裏板
６  ベースプレート
１１，１３  掛止部
１２，１４  係合部
１９  一次止ビス
２０  二次止ビス
２１  長孔
【図１】
2004332537.tif 000003
【図２】
2004332537.tif 000004
【図３】
2004332537.tif 000005